【事件の表示】
　平成１１年特許願第２９１００７号「データ通信装置」拒絶査定不服審判事件〔平成１３年　４月２０日出願公開、特開２００１−１１１８４５〕について、次のとおり審決する。
【結　論】
　本件審判の請求は、成り立たない。
【理　由】
第１　手続きの経緯
　本願は、平成１１年１０月１３日に出願されたものであって、平成１７年１０月１４日付けで拒絶査定がなされ、これに対して平成１７年１１月３０日に拒絶査定不服審判が請求されると共に平成１７年１２月２７日に手続補正がなされたものである。
　
第２　平成１７年１２月２７日の手続補正についての補正却下の決定
［補正却下の決定の結論］
　平成１７年１２月２７日付けの手続補正を却下する。
［理由］
１．補正後の本願発明
　平成１７年１２月２７日付け手続補正書により、特許請求の範囲の請求項１は、
　「【請求項１】　親展受信データを一旦格納する複数の親展ボックスと、
　前記複数の親展ボックスとパスワードとを対応付けて記憶する管理テーブルと、
　パスワードを入力する入力手段と、
　前記入力手段に入力されたパスワードが、前記管理テーブルに記憶されているパスワードと一致した場合に、該パスワードに対応する前記親展ボックスに格納された親展受信データを出力する出力手段と、
を有するデータ通信装置であって、
　親展受信の際に、前記複数の親展ボックスのうち、親展受信データが格納されていないまたはパスワードが対応付けられていない未使用親展ボックスと、パスワードとを決定する決定手段と、
　親展受信の際に、前記決定手段で決定されたパスワードを、前記未使用親展ボックスと対応付けて前記管理テーブルに書き込む書込み手段と、を備え、
　受信した親展受信データを、前記未使用親展ボックスに格納する、データ通信装置。」
と補正された。
　
２．補正の適否について
　平成１７年１２月２７日付けの手続補正は、補正前の請求項１に記載された発明を特定するために必要な事項を明確にするための補正であり、特許法第１７条の２第４項第２号の特許請求の範囲の減縮を目的とするものに該当する。
　そこで、平成１７年１２月２７日付けの手続補正後の請求項１に記載された発明（以下、「本願補正発明」という。）が特許出願の際独立して特許を受けることができるものであるか、すなわち平成１８年改正前特許法第１７条の２第５項において準用する同法第１２６条第５項の規定に適合するかどうかについて以下に検討する。
　
３．引用刊行物
（１）原審が拒絶の理由に引用した特開平１１−１２７３２７号公報（平成１１年５月１１日出願公開。以下、「引用例１」という。）には、図面とともに次の各記載がある。
　
（ア）「【０００１】
【発明の属する技術分野】
本発明は、サブアドレス信号を通信する機能を備えたファクシミリ装置、及びこのファクシミリ装置において実施されるファクシミリ通信方法に関するものである
【０００２】
【従来の技術】サブアドレスに対応してメモリボックスを設定する手段と、前記メモリボックスに対応して通信仕様を設定する手段とを備えたファクシミリ装置は、従来より知られている。
【０００３】この種のファクシミリ装置は、回線を通じて外部より送信されたサブアドレス信号を受信し、この受信したサブアドレス信号に対応したメモリボックス中の通信仕様で受信情報の受信制御を行うことが可能である。
【０００４】そして、設定されたメモリボックスに対応していないサブアドレス信号を受信した場合には、（１）受信情報を全てプリントアウトする、あるいは（２）受信情報の受信を全て拒否する、といったいずれか１つの仕様となっており、この仕様は固定されていた。
【０００５】
【発明が解決しようとする課題】しかしながら、上記従来例では、設定されたメモリボックスに対応していないサブアドレス信号を受信した場合には、次のような問題があった。
【０００６】（１）受信情報を
全てプリントアウトすると
秘密を確保することができない
【０００７】（２）受信情報の受信を全て拒否すると、ユーザが親展通信を使用していない場合には送信側で再送信をする必要があり、送信側の使用勝手が悪くなる。
【０００８】
本発明は上記従来の問題点に鑑み、設定されたメモリボックスに対応していないサブアドレス信号を受信した場合でも、通信の秘密の確保や送信側の使用勝手を考慮した柔軟な受信制御を行うことができるファクシミリ装置及びファクシミリ通信方法を提供することを目的とする
【０００９】
【課題を解決するための手段】上記目的を達成するために、第１の発明は、サブアドレスに対応してメモリボックスを設定するメモリボックス設定手段と、前記メモリボックスに対応して通信仕様を設定する通信仕様設定手段とを有し、回線を通じて外部より送信されたサブアドレス信号を受信し、この受信したサブアドレス信号に対応したメモリボックス中の通信仕様で受信情報の受信制御を行うファクシミリ装置において、
前記メモリボックス設定手段によって設定されたメモリボックスに対応していないサブアドレス信号を受信した場合は、前記メモリボックスに既に設定された通信仕様を参照して受信情報の受信制御を変更する構成にした
【００１０】第２の発明では、上記第１の発明において、前記メモリボックス設定手段によって
設定されたメモリボックスに対応していないサブアドレス信号を受信した場合に、前記メモリボックスに既に設定された通信仕様として親展受信モードがあるときは、受信情報を全てメモリ受信とし、親展受信モードがないときは受信情報をプリント出力する構成にした
【００１１】第３の発明では、上記第２の発明において、前記
メモリ受信の受信情報は、前記親展受信モードのパスワードの入力で出力する構成にした
【００１２】第４の発明では、上記第１の発明において、前記メモリボックス設定手段によって
設定されたメモリボックスに対応していないサブアドレス信号を受信した際に、前記メモリボックスに既に設定された通信仕様として親展受信モードがある場合は、該親展受信モードに対応したパスワードが１つ設定されているときのみ受信情報をメモリ受信として前記パスワードの入力で出力し、親展受信モードに対応したパスワードが複数設定されているときには当該通信を中断し、前記メモリボックスに既に設定された通信仕様として親展受信モードがない場合は、受信情報をプリント出力する構成にした
【００１３】第５の発明では、サブアドレスに対応してメモリボックスを設定するメモリボックス設定処理と、前記
メモリボックスに対応して通信仕様を設定する通信仕様設定処理とを予め行っておき
設定されたメモリボックスに対応していないサブアドレス信号を受信した場合は、前記メモリボックスに既に設定された通信仕様を参照して受信情報の受信制御を変更するようにしたもの
【００１４】第６の発明では、上記第５の発明において、前記メモリボックス設定処理によって
設定されたメモリボックスに対応していないサブアドレス信号を受信した場合に、前記メモリボックスに既に設定された通信仕様として親展受信モードがあるときは、受信情報を全てメモリ受信とし、親展受信モードがないときは受信情報をプリント出力するようにした
【００１５】第７の発明では、上記第６の発明において、前記
メモリ受信の受信情報は、前記親展受信モードのパスワードの入力で出力するようにした
【００１６】第８の発明では、上記第５の発明において、前記メモリボックス設定処理によって
設定されたメモリボックスに対応していないサブアドレス信号を受信した際に、前記メモリボックスに既に設定された通信仕様として親展受信モードがある場合は、該親展受信モードに対応したパスワードが１つ設定されているときのみ受信情報をメモリ受信として前記パスワードの入力で出力し、親展受信モードに対応したパスワードが複数設定されているときには当該通信を中断し、前記メモリボックスに既に設定された通信仕様として親展受信モードがない場合は、受信情報をプリント出力するようにした
　なお、下線は審決において附された。以下、同様。
　
（イ）「【００２４】１８は、メモリ回路であり、読取りデータの生情報あるいは符号化した情報を格納したり、また受信情報あるいは復号化した情報等を格納するために使用する。
【００２５】２２は、操作部であり、テンキー、ワンタッチダイヤルキー、短縮ダイヤルキー、
回路２４への登録キー
パスワード入力ボタン
【００２６】
２４は、登録回路であり、サブアドレスに対応してメモリボックスと通信仕様を信号線２４ａを介して登録する回路である
メモリボックスは００から１９までの２０個が設けられているものとする
【００２７】２６は、第１の表示回路であり、サブアドレス信号に対応したメモリボックスがなく通信断とした旨を表示する回路である。信号線２０ｆに信号レベル“１”の信号が出力されていると表示を行い、信号線２０ｆに信号レベル“０”の信号が出力されていると表示を行わない。
【００２８】２８は、第２の表示回路であり、メモリボックスに対応しないサブアドレス信号を受信した時の「メモリ受信有り」を表示する回路である。信号線２０ｇに信号レベル“１”の信号が出力されていると表示を行い、信号線２０ｆに信号レベル“０”の信号が出力されていると表示を行わない。
【００２９】上記各構成要素は、制御回路２０によって制御される。制御回路２０は、特に次のような本発明に関連した制御を行う。すなわち、
制御回路２０は、所定のサブアドレスに対応してメモリボックスを登録回路２４に登録する手段と、前記メモリボックスに対応して通信仕様を登録回路２４に登録する手段とを有している
　
（ウ）「【００３１】図２〜図６は、第１実施形態の制御回路２０の制御の具体例を示すフローチャートである。
【００３２】図２において、ステップＳ２では、信号線２０ｆに信号レベル“０”の信号を出力し、第１の表示回路２６において、サブアドレス信号に対応したメモリボックスがなく通信断とした旨の表示を行わない。続くステップＳ４では、信号線２０ｇに信号レベル“０”の信号を出力し、第２の表示回路２８において、メモリ受信有りの表示を行わない。
【００３３】ステップＳ６では、信号線２０ａに信号レベル“０”の信号を出力してＣＭＬ信号をオフする。さらに、ステップＳ８では、信号線２０ｄに信号レベル“０”の信号を出力してＡＮＳａｍ信号を送信しない。
【００３４】その後のステップＳ１０では、信号線２２ａの情報を入力し、登録回路２４への登録が選択されたか否かが判断され、登録が選択されるとステップＳ１２へ進み、選択されないとステップＳ１４へ進む。
【００３５】
ステップＳ１２では
メモリボックスに対応して、サブアドレス及び通信仕様を登録回路２４に登録する
通信仕様としては
親展受信や複数部出力の指定等のモード
【００３６】図３のステップＳ１４では、受信が選択されたか否かが判断され、受信が選択されるとステップＳ１５へ進み、信号線２０ａに信号レベル“１”の信号を出力してＣＭＬをオンし、受信が選択されていないと図５（ｂ）のステップＳ５０へ進む。
【００３７】ステップＳ１６では、前手順を行う。ここでは、ＤＩＳ信号のＦＩＦの４９ビット目を“１”とし、サブアドレス信号の受信機能有りを相手機へ通知する。そして、ステップＳ１８では、サブアドレス信号を受信したか否かが判断され、受信するとステップＳ２０へ進み、受信していないとステップＳ３６へ進む。図４（ｂ）のステップＳ３６では、画信号の受信／記録を行う。ここでは、一部のみ記録する。その後、ステップＳ３８において後手順を実行し、前記ステップＳ６へ戻る。
【００３８】
ステップＳ２０では、受信したサブアドレス信号は、登録回路２４に登録されているか否かが判断され
【００３９】ステップＳ２２では、このメモリボックスの仕様を信号線２４ａを介して入力して判定し、
親展通信であるとステップＳ２４へ進み、画信号を親展受信としてメモリ受信する
【００４０】ステップＳ３２では、信号線２０ａに信号レベル“０”の信号を出力してＣＭＬをオフし、続く図４（ａ）の
ステップＳ３４では、指定された部数ページ順に出力する。その後、メモリ受信した情報をメモリから消去し
【００４１】ステップＳ４０では、信号線２４ａを介して情報を入力して、
登録回路２４内のメモリボックスに設定されている通信仕様の中で親展受信モードがあるか否かが判断され、親展受信の設定があるとステップＳ４２へ進み、画信号のメモリ受信を行い
【００４２】ステップＳ４４に続くステップＳ４６では、信号線２０ａに信号レベル“０”の信号を出力してＣＭＬをオフし、ステップＳ４８において、信号線２０ｇに信号レベル“１”の信号を出力し、メモリボックスに対応しないサブアドレス信号を受信したので、メモリ受信有りを表示する。ステップＳ４８の後は、前記ステップＳ６へ戻る。
【００４３】前記ステップＳ１４の判定処理で、受信が選択されていないと判断されると、ステップＳ５０において、信号線２２ａの情報を入力して、親展受信の出力が選択されたか否かが判断され、親展受信の出力が選択されるとステップＳ５２へ進み、選択されてないとステップＳ５６へ進む。
【００４４】ステップＳ５２では、信号線２２ａ，２４ａの情報を入力し、メモリボックスに対応したパスワードが入力されたか否かが判断され、肯定（ＹＥＳ）応答であると、
ステップＳ５４へ進む。ステップＳ５４では、指定されたメモリボックスの親展受信をプリントアウトし、その情報をメモリから消去する
【００４５】ステップＳ５６では、信号線２２ａの情報を入力し、メモリボックスに対応しないサブアドレス信号の受信によるメモリ受信の出力が選択されたか否かが判断され、メモリ受信の出力が選択されるとステップＳ６０へ進む。選択されないとステップＳ５８へ進んでその他の処理を行った後、前記ステップＳ６へ戻る。
【００４６】
ステップＳ６０では、信号線２２ａ，２４ａの情報を入力し、親展受信のパスワードが入力されたか否かが判断される。親展受信のパスワードが入力されるとステップＳ６２へ進み、メモリボックスに対応していないサブアドレス信号で指定された受信情報を出力すると同時に、メモリからその情報を消去する
【００４７】ステップＳ６４では、信号線２０ｇに信号レベル“０”の信号を出力して、メモリボックスに対応していないサブアドレス信号を受信した時のメモリ受信有りの表示を行わない。そして、前記ステップＳ６へ戻る。
【００４８】
このように本実施形態では、メモリボックスに対応していないサブアドレス信号を受信した場合において、親展通信を使用しているユーザに対してはメモリ受信とし、親展通信のパスワード入力での受信情報の記録が可能になり、通信の秘密を確保することができる
親展通信を使用していないユーザに対しては、受信情報の出力（記録）が可能になり、送信機側で再送信の必要もなく使いやすくなる
　
（エ）「【００５１】なお、第２実施形態の構成は図１に示すものと同一である。但し、制御回路２０の内蔵ＲＯＭに格納される制御プログラムは、後述する図７に示すフローに変更される。
【００５２】図７は、第２実施形態の制御回路２０の制御の具体例を示すフローチャートであり、上記図２〜図６に示すフローと異なる部分のみが示されている。なお、本実施形態では、便宜上、上記ステップＳ４０の否定（ＮＯ）をステップＳ７０とし、上記ステップＳ４２をステップＳ７４とし、さらに上記ステップＳ６をステップＳ７８とする。
【００５３】図７において、上記ステップＳ４０では、信号線２４ａを介して情報を入力して、登録回路２４内のメモリボックスに設定されている通信仕様の中で親展受信モードがあるか否かが判断される。その判定処理が否定（ＮＯ）となると（本実施形態ではステップＳ７０とする）、
ステップＳ７２へ進む。ステップＳ７２では、信号線２４ａの情報を入力して、登録回路２４内のメモリボックスのうち、親展受信が設定されているメモリボックスは１つのみであるか否かが判断され、１つのメモリボックスのみであるとステップＳ７４（上記ステップＳ４２）へ進み、２つ以上のメモリボックスであるとステップＳ７６へ進む
【００５４】ステップＳ７６では、信号線２０ｆに信号レベル“１”の信号を出力し、サブアドレスに対応したメモリボックスがなく通信断とした旨を表示する。この表示は何らかのキー操作で消去する。
【００５５】このように本実施形態では、
メモリボックスに対応していないサブアドレス信号を受信した場合において、１パスワードのみで親展受信を使用しているユーザに対してはメモリ受信とし、親展通信のパスワード入力での受信情報の記録が可能になる
親展受信モードのパスワードが複数設定されているときには、複数のユーザにより親展受信を使用しているケースを考慮し、このケースではどのユーザへの親展通信であるか判断できないので通信断とし、通信の秘密を確保する
親展通信を使用していないユーザに対しては、受信情報の出力が可能になり、送信機側での再送信の必要もなく
　
（２）原審が引用した他の引用例について
　原審は、拒絶の理由に、引用例１の他に以下の引用文献２〜１０
２．特開平０８−１６８００７号公報
３．特開平０９−３２１９０６号公報
４．特開平１１−１８７２４２号公報
５．特開昭６２−０２５５６９号公報
６．特開平１０−７０５２８号公報
７．特開平１１−１７９１０号公報
８．特開平１１−１３６４７８号公報
９．特開平０５−１６１０２３号公報
１０．特開平１１−２６１７８８号公報
を引用している。
　引用例１及び文献２〜４は、同一出願人の出願に係わるものであって、引用例１及び引用文献２〜４には、パスワードを用いる親展通信機能及びパスワードを用いない一般の通信機能を各メモリボックスに任意に設定すること、パスワードを送信側で決定すること、そして登録回路を用いてパスワード、メモリボックス、及びメモリボックスに付与される通信仕様を管理することが記載されている。
　また、文献４には、親展文書を送信する場合、受信側では、文書取り出しのために登録できるパスワードの数に制限がある課題のもとに、ＳＵＢ信号内にパスワードを設定し、入力されたパスワードと送信されたＳＵＢ信号のパスワードが一致したら蓄積した原稿を出力するものであり、送信側から受信したパスワードに基づいてパスワードを決定するものといえる。
　文献５には、パスワードを受信側で決定し、該決定したパスワードを送信側に通知する技術思想が記載されており、しかもこの技術思想は本件出願前既に当業者には周知である。
　文献６には、パスワードを用いる親展通信が記載されており、システムに管理テーブルＴ１，Ｔ２，Ｔ３を設けることによりパスワードの登録消去、親展情報の格納、使用する複数の回線の切り換え、及び親展ボックスの管理を容易に行うことが記載されている。
   文献７には、パスワードを用いる親展通信及びパスワードを用いない一般の通信が記載されており、メモリボックスにデータを格納するときの条件を記憶装置に予め設定しておき該記憶装置に設定された条件に従って受信データをメモリボックスに格納する構成を採ることにより、ボックスへのデータの格納許諾又は禁止、既に格納されているデータの無効、ボックス内に格納されているデータに対する上書き等を自由に行うことが記載されている。
　文献８には、ファイル管理手段、ファイル検索手段により、複数の親展受信ファイルを適切に管理することが記載されている。
　文献９には、送信側が希望した受信者のみに暗唱番号つまりパスワードを通知しておくことにより、暗唱番号を知らない他の第三者にデータが漏洩することを防止したファクシミリ通信装置が記載されている。
　文献１０には、送信者が、親展文書の特定領域に受取人の宛名及び送信者情報を記載し、予め決められたパスワードと相手先電話番号と暗号化された親展データとを、送信側の暗号化装置に送信することにより、受信側にあらかじめ親展文書を送る旨の通知をしなくても、秘密を保持しつつデータを圧縮することで通信経費を節約できる通信装置が記載されている。
　
４．対比
　本願補正発明と引用例１に記載された発明を対比すると、本願補正発明の「親展ボックス」は、「親展受信データを一時格納するための記憶領域」（本願明細書段落【００２４】）であるから、引用例１の「通信仕様として親展受信モードがあるメモリボックス」と格別変わりがない。してみれば、引用例１に記載された発明の「通信仕様として親展受信モードがあるメモリボックス」（段落【００１０】、【００１２】、【００１４】、及び【００１６】の記載参照）は、本願補正発明の「親展ボックス」に相当するといえる。
　引用例１に記載された発明のファクシミリ装置は、００〜１９までの２０個のメモリボックス、すなわち複数のメモリボックスを有し（段落【００２６】の記載参照）、そして各メモリボックス夫々に対して、親展受信モード、複数部出力指定モード等を有する通信仕様が付与され、該付与された通信仕様は各メモリボックスと対応づけられて登録回路２４に登録されることが記載されており（段落【００２９】及び段落【００３５】の記載参照）、そして親展受信モードを有する通信仕様が付与されたメモリボックスは、親展メモリボックスであることは明らかであるから、引用例１に記載された発明は、「複数の親展ボックス」に相当する構成を備えているといえる。
　引用例１に記載された発明の「パスワード」は、本願補正発明の「パスワード」に相当する。
　引用例１に記載された発明の「操作部２２のパスワード入力ボタン」（段落【００２５】の記載参照）は、本願補正発明の「パスワード入力手段」に相当する。
　引用例１に記載された発明の制御回路２０内の登録手段は、所定のサブアドレスとメモリボックスとを対応づけてその対応関係を登録回路２４に登録し、また該登録手段は、複数の通信仕様のうちの１つ（例えば、親展モード機能を有する通信仕様がそれである）と各メモリボックスとを対応づけてその対応関係を登録回路２４に登録するものである（段落【００２９】及び【００３５】の記載参照）から、引用例１に記載された発明の「登録回路２４」は、本願補正発明の「管理テーブル」に相当する。
　引用例１に記載された発明の「所定のサブアドレスに対応してメモリボックスを登録回路２４に登録する登録手段、及びメモリボックスに対応して通信仕様を登録回路２４に登録する登録手段」（段落【００２９】の記載参照。）は、本願補正発明の「管理テーブルに書き込む書込み手段」に相当する。
　引用例１に記載された発明の「記録回路１６」は、受信したパスワード（サブアドレス）と登録回路２４に記憶されている各パスワードとを比較し一致した場合に、受信したパスワードに対応する親展ボックスに格納されている親展受信情報を出力することが記載されている（段落【００３８】〜【００４０】、【００４３】，【００４４】，【００４６】の記載参照。）から、引用例１に記載された発明の「記録回路１６」は、本願補正発明の「出力手段」に相当することは明らかである。
  引用例１に記載された発明の「ファクシミリ装置」は、ファクシミリネットワークを介して送信側と受信側との間でデジタルデータを通信すなわち送受信する装置であるから、引用例１に記載された発明の「ファクシミリ装置」は、本願補正発明の「データ通信装置」に相当することは明らかである。
　
　したがって、本願補正発明と引用例１に記載された発明とは、
　「親展受信データを一旦格納する複数の親展ボックスと、
　前記複数の親展ボックスとパスワードとを対応付けて記憶する管理テーブルと、
　パスワードを入力する入力手段と、
　前記入力手段に入力されたパスワードが、前記管理テーブルに記憶されているパスワードと一致した場合に、該パスワードに対応する前記親展ボックスに格納された親展受信データを出力する出力手段と、
を有するデータ通信装置であって、
　受信した親展受信データを、前記親展ボックスに格納する、データ通信装置。」
である点で一致し、以下の点で相違する。
　
【相違点】　本願補正発明は、「親展受信の際に、前記複数の親展ボックスのうち、親展受信データが格納されていないまたはパスワードが対応付けられていない未使用親展ボックスと、パスワードとを決定する決定手段と、親展受信の際に、前記決定手段で決定されたパスワードを、前記未使用親展ボックスと対応付けて前記管理テーブルに書き込む書込み手段と、を備え、」ているのに対し、
　引用例１に記載された発明は、通信仕様が設定されたメモリボックスが、該メモリボックスと対応しないサブアドレス信号を受信した場合で、かつ前記メモリボックスの通信仕様が親展機能を有している場合、システムは前記メモリボックスに対して親展受信を実行するものではあるが、親展受信を実行するに際し、親展メモリボックスを未使用親展ボックスの中から選択するとは明記しておらず、また、パスワードがどのように決定されるか明らかでなく、登録手段は、所定のサブアドレスを親展メモリボックスと対応づけて登録回路２４に登録し且つメモリボックスに対して設定された通信仕様をもメモリボックスと対応づけて登録するものであり、そして該登録手段は、登録回路２４に登録されたメモリボックスに対応していないサブアドレスを受信した場合であって、かつメモリボックスに既に親展モード機能が設定されているときには、受信情報を全てメモリ受信としてメモリボックスに格納するものではある（段落【００２６】、【００２９】の記載参照）が、親展受信の際に、前記メモリボックスに対応していないサブアドレスをメモリボックスと対応づけて登録回路２４に登録するとは明記しない点。
　
５．判断
　以下、前記相違点について検討する。
　一般に、メモリ（記憶領域）にデータを格納する際、現に指定されたメモリエリアが充分な記憶領域を有しない場合、システムは、格納しようとするデータに対し充分な容量を持つ新たな空き領域を探し出し、該空き領域にデータを格納することは、日常的に行われている当業者の常套技術であり、また、本願補正発明の「親展ボックス」は、「親展受信データを一時格納するための記憶領域」（本願明細書段落【００２４】）であるところ、親展受信情報をメモリボックスに格納する際、現親展メモリボックスに充分な空き領域がなく、他の親展メモリボックスに充分なメモリ容量があり且つこの親展メモリボックスが格納禁止状態にない場合、親展受信情報をこの親展メモリボックスに格納すべきは当然のことであるから、引用例１に記載された発明に上記常套技術事項を適用して本願補正発明の如く、「未使用親展ボックスを決定する決定手段を備え」る構成とすることは当業者が適宜なし得ることである。
　そして、請求項１記載の発明には、親展受信の際のパスワードの決定が如何なるパスワードに基づくか規定がなく、請求項１を引用している請求項９には「受信したパスワードに基づく」点の規定があることからして、決定手段には、受信したパスワードに基づいて親展受信の際のパスワードの決定がなされるものも包含されていると認められるところ、
　周知例である文献４（特開平１１−１８７２４２号公報）には、親展文書を送信する場合、受信側では、文書取り出しのために登録できるパスワードの数に制限がある課題のもとに、ＳＵＢ信号内にパスワードを設定し、入力されたパスワードと送信されたＳＵＢ信号のパスワードが一致したら蓄積した原稿を出力するものであり、送信側から受信したパスワードに基づいて親展文書が格納された親展ボックスと対応するパスワードが受信の際に決定されて保持され、それと入力されたパスワードとの一致を見ていると解される。
　してみれば、文献１のものに同一分野の文献４の如き周知技術を適用して、「親展受信の際に、前記複数の親展ボックスのうち、親展受信データが格納されていないまたはパスワードが対応付けられていない未使用親展ボックスと、パスワードとを決定する決定手段と、親展受信の際に、前記決定手段で決定されたパスワードを、前記未使用親展ボックスと対応付けて前記管理テーブルに書き込む書込み手段と、を備え、」る如くすることは当業者にとって容易に推考しえたものといえ、また本願発明の効果についてみても、上記構成の採用に伴って当然に予測される程度のものにすぎず、格別顕著なものがあるともいえない。　
　以上述べた如く、本願補正発明は、引用例１に記載された発明及び周知技術、常套技術に基づいて当業者が容易に発明をすることができたものであるから、特許法２９条２項の規定により、特許出願の際独立して特許を受けることができないものである。
　
６．本件補正についてのむすび
　以上のとおり、本件補正は、平成１８年改正前特許法１７条の２第５項において準用する同法１２６条５項の規定に違反するものであり、同法１５９条１項において読み替えて準用する同法５３条１項の規定により却下されるべきものである。
　
第３　本願発明について
１．本願発明
　平成１７年１２月２７日付けの手続補正は、上記のとおり却下されるから、本願の特許請求の範囲の請求項１に係る発明（以下、「本願発明」という。）は、平成１６年１０月１日付けの手続補正書により補正された特許請求の範囲の請求項１に記載された次のとおりのものである。
　「【請求項１】　親展受信データを一旦格納する親展ボックスと、
　前記親展ボックスとパスワードとを対応付けて記憶する管理テーブルと、
　パスワードを入力する入力手段と、
　前記入力手段に入力されたパスワードが、前記管理テーブルに記憶されているパスワードと一致した場合に、該パスワードに対応する前記親展ボックスに格納された親展受信データを出力する出力手段と、
を有するデータ通信装置であって、
　親展受信の際に、パスワードを決定する決定手段と、
　親展受信の際に、前記決定手段で決定されたパスワードを、前記親展ボックスと対応付けて前記管理テーブルに書き込む書込み手段と、を備えた、データ通信装置。」
　
２．引用刊行物
　原査定の拒絶の理由に引用された引用例１及びその記載事項は、前記「第２の３．」に記載したとおりである。
　
３．対比・判断
　本願発明は、前記「第２」で検討した本願補正発明から、発明を限定する事項である
(a)「複数」
(b)「前記複数の親展ボックスのうち、親展受信データが格納されていないまたはパスワードが対応付けられていない未使用親展ボックスと、」
(c)「受信した親展受信データを、前記未使用親展ボックスに格納する、」
を省いたものである。
　そうすると、本願発明を特定する事項をすべて含む本願補正発明が、前記「第２の４．」、「第２の５．」に記載したとおり、引用例１に記載された発明及び周知技術、常套技術に基づいて当業者が容易に発明をすることができたものであるから、本願発明も、同様の理由により、引用例１に記載された発明及び周知技術、常套技術に基づいて当業者が容易に発明をすることができたものである。
　
４．むすび
　以上のとおり、本願発明は、引用例１に記載された発明及び周知技術、常套技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。